(57)【要約】　　　（修正有）【課題】各居室に応じてその居室までの入室経路を擬似体験させ、居室からの室外環境の視角を広げることでより臨場感のあるモデルハウスの眺望シミュレーションシステムを提供する。【解決手段】各居室に応じてその室外環境を擬似体験させるモデルハウス眺望シミュレーションシステム１であって、バルコニー９の外側近傍に設置される受像装置Ｄと、室外の眺望の時刻ないしは季節毎の多種の映像の中から任意の一場面を選択する検索装置Ｂと、選択された映像を受像装置Ｄに映写若しくは表示する映写・表示装置Ｅと、を少なくとも有するシミュレーションルーム６と、該シミュレーションルーム６の入口の近傍にその出入口が位置するように設置されたスライドアップするシミュレーションエレベータＡと、を具備することを特徴とするモデルハウス眺望シミュレーションシステム１。【選択図】　　　図１
2004093851.tif 000002
【特許請求の範囲】
【請求項１】
モデルハウス内のバルコニーの外側近傍に、実際の居室からの想定される眺望の映像を映写若しくは表示することによって、各居室に応じてその室外環境を擬似体験させるモデルハウス眺望シミュレーションシステムであって、
前記バルコニーの外側近傍に設置される受像装置と、
予め撮影又は仮想的に作成して用意された実際の居室に対応した高度と方位における、室外の眺望の時刻ないしは季節毎の多種の映像の中から任意の一場面を選択する検索装置と、
選択された映像を前記受像装置に映写若しくは表示する映写・表示装置と、
を少なくとも有するシミュレーションルームと、
該シミュレーションルームの入口の近傍にその出入口が位置するように設置されたスライドアップするシミュレーションエレベータと、
を具備することを特徴とするモデルハウス眺望シミュレーションシステム。
【請求項２】
前記シミュレーションルーム内に前記眺望の映像の高度と方位を表示する高度方位表示装置を設置することを特徴とする請求項１記載のモデルハウス眺望シミュレーションシステム。
【請求項３】
前記眺望の映像が動画であることを特徴とする請求項１又は２記載のモデルハウス眺望シミュレーションシステム。
【発明の詳細な説明】
【０００１】
【発明の属する技術分野】
本発明は、高層集合住宅やオフィスビス、ホテル等の建築物の実際の居室の室外環境を疑似体験させるモデルハウスのシミュレーションシステムに係り、特に擬似エレベータにて各居室に応じてその居室までの入室経路を擬似体験させた後に、各居室に応じてその室外環境をリアルに擬似体験させるモデルハウスの眺望シミュレーションシステムに関するものである。
【０００２】
【従来の技術】
従来から、高層集合住宅、即ち高層マンションの販売促進のために、その着工や竣工前に購入希望者へのモデルハウスの見学会が開催されており、購入希望者は、この見学会により、実際の居室の空間や諸設備の配置等の室内環境を考慮した住環境を体験できた。
【０００３】
また、このモデルハウス内で、予め撮影、録音された想定される各居室からの眺望の映像や音響等を映写、表示若しくは再生させることによって、購入希望者に、居室からの外観、眺望、採光、騒音又はその時刻毎、季節毎の変化等と云った室外環境を擬似体験させることで、購入希望者は、より臨場感のある実際の各居室に対応した生活環境を容易に想像することができ、高層マンションの販売促進に大きく寄与してきた。
【０００４】
【発明が解決しようとする課題】
しかしながら、実際の居室は各高層階にあるので、入室するためにはエレベータでの昇降が不可欠であるが、このようなモデルハウスは平屋に設置されることが多いために、エレベータでの昇降を体験することができず、居室の入室までの臨場感に欠けているという問題点があった。
【０００５】
また、居室からの室外環境の外観や眺望は、窓面全面若しくはその手前に設置されたスクリーン等の受像装置に投影されるために、実際の居室からの室外環境の眺望よりも視角が狭く死角が発生する問題点もあった。
【０００６】
さらに、これらの映像や音響等は、一体、どの層階の、どの方位の居室からの室外環境のものとして想定されているのかと云った情報が表示されていないために、購入希望者は困惑するという問題点もあった。
【０００７】
そこで、本発明は上記課題に鑑みてなされたものであり、擬似エレベータを設置することによって居室の内外環境のみならず、各居室に応じてその居室までの入室経路を擬似体験させ、居室からの室外環境の視角を広げることでより臨場感のあるモデルハウスの眺望シミュレーションシステムを提供すると共に、購入希望者に聴観している映像等の高度と方位の情報を提供することを技術課題とするものである。
【０００８】
【課題を解決するための手段】
上記技術課題を解決するための具体的手段は、次のようなものである。すなわち、請求項１に記載するモデルハウス眺望シミュレーションシステムは、モデルハウス内のバルコニーの外側近傍に、実際の居室からの想定される眺望の映像を映写若しくは表示することによって、各居室に応じてその室外環境を擬似体験させるモデルハウス眺望シミュレーションシステムであって、前記バルコニーの外側近傍に設置される受像装置と、予め撮影又は仮想的に作成して用意された実際の居室に対応した高度と方位における、室外の眺望の時刻ないしは季節毎の多種の映像の中から任意の一場面を選択する検索装置と、選択された映像を前記受像装置に映写若しくは表示する映写・表示装置とを少なくとも有するシミュレーションルームと、該シミュレーションルームの入口の近傍にその出入口が位置するように設置されたスライドアップするシミュレーションエレベータとを具備することを特徴とするものである。
【０００９】
請求項２に記載するモデルハウス眺望シミュレーションシステムは、請求項１に記載する構成において、前記シミュレーションルーム内に前記眺望の映像の高度と方位を表示する高度方位表示装置を設置することを特徴とするものである。
【００１０】
請求項３に記載するモデルハウス眺望シミュレーションシステムは、請求項１又は２に記載する構成において、前記眺望の映像が動画であることを特徴とするものである。
【００１１】
【発明の実施の形態】
以下、本発明の実施形態に係るモデルハウス眺望シミュレーションシステム１を図面に基づいて説明する。本発明の実施形態に係るモデルハウス眺望シミュレーションシステム１は、図１に示すように、モデルハウス２の内部に、ホール３と、該ホール３に隣接しているシミュレーションエレベータルーム４と、該シミュレーションエレベータルーム４に隣接している廊下５と、該廊下５と隣接しているシミュレーションルーム６とで構成されている。以下、図面に基づいて、前記モデルハウス眺望シミュレーションシステム１を詳細に説明する。
【００１２】
前記ホール３は、図１に示すように、前記モデルハウス２の出入口広間となっており、実際の高層マンションの玄関口を想定したものとなっている。また、ここでは、実際の高層マンションの玄関口にある自動ドアを前記ホール３に設け、購入希望者が前記モデルハウス２に入室する際には、自動ドアを通過して前記ホール３に進む構造となっており、実際の高層マンションの玄関内の臨場感のある擬似体験を行うことができる。
【００１３】
前記シミュレーションエレベータルーム４は、図１に示すように、前記ホール３に隣接され、その内部にシミュレーションエレベータＡが設置されている。前記ホール３に進んだ購入希望者は、前記シミュレーションエレベータＡに乗り込み、該シミュレーションエレベータＡのスライドアップによって、想定された各居室に応じて任意に指定した階層の前記廊下５に到着する。前記シミュレーションエレベータＡは、図２及び３に示すように、前記シミュレーションエレベータルーム４内を斜めにスライド移動する箱型の昇降機であり、実際の高層マンションのエレベータを想定したものである。また、前記シミュレーションエレベータＡ内には、図示していないが、想定された各居室の階層に応じて任意に指定できる階層入出力器や指定した階層を表示する階層表示灯等が具備されている。さらに、より臨場感を出すために、前記シミュレーションエレベータＡ内にエレベータ音等の効果音やＢＧＭを出力させていても良い。更にまた、前記シミュレーションエレベータＡの前記廊下５への移動到着時間を、想定された各居室の階層に応じて変化させても良い。以上のような前記シミュレーションエレベータＡに購入希望者が乗り込み、移動することによって、購入希望者は、想定された各居室に応じた階層までの移動の臨場感のある擬似体験を行うことができる。
【００１４】
想定された各居室に応じて指定した階層に到着した購入希望者は、前記廊下５を通過してモデルリビング７に入室する。前記廊下５は、図１に示すように前記シミュレーションエレベータルーム４と前記モデルリビング７との間に隣接され、該モデルリビング７の入口に面した該モデルリビング７に入室するための通路であり、実際の高層マンションの廊下を想定したものとなっている。
【００１５】
前記シミュレーションルーム６は、図１に示すように、モデルリビング７とプロジェクションルーム８から構成されており、予め用意された多種の映像及び音響の中から所要な映像及び音響を選択すると共に、その選択された映像及び音響に対応する室内外の光の状態を同時に選択する検索装置Ｂと、窓面Ｃに隣接しているバルコニー９の外側近傍付近に設置された受像装置Ｄと、該受像装置Ｄに選択された映像を投影若しくは表示する映写・表示装置Ｅと、選択された音響を再生演出する音響機器Ｆと、選択された光の状態を演出する照明機器Ｇと、その選択された映像、音響及び光の状態に対応した高度と方位を表示した高度方位表示装置Ｈと、前記窓面Ｃの両隅に隣接している電動カーテンＩとを有している。
【００１６】
前記モデルリビング７は、図１に示すように、前記廊下５と扉を隔てて隣接しており、実際の高層マンションの居室のリビングを想定した居間となっている。つまり、前記モデルリビング７内には、家具類や調度品の諸設備や照明や窓等が実際の居室のリビングと同様に配置されており、購入希望者は、実際の室内環境を把握理解することができる。また、前記モデルリビング７内には、図４及び５に示すように、購入希望者が座るための椅子Ｊも設置されている。前記窓面Ｃの室外側には、前記バルコニー９が配置されており、実際の居室のリビングと同様な外観配置となっている。さらに、前記バルコニー９の外側には、前記プロジェクションルーム８が配置されている。前記モデルリビング７は、このような実際の居室の想定されるリビングに限定されるものではなく、実際の居室と同様の寝室や書斎等の部屋を包含したものであっても良い。
【００１７】
映像及び音響は、実際の高層マンション建築位置を想定して、各居室に対応した所定のフロア高度と東西南北と云った方位における時刻毎及び季節毎の眺望の変化を予め撮影、録音または仮想的に作成した、多数場面の映像及び音響媒体から構成されている。この映像の種類には、スライド等による静止画及び映画やビデオ等による動画は勿論のこと、コンピュータグラフィックスまたはレーザホログラフィー等による静止画及び動画も包含している。例えば、ある夏の夜の花火大会の実際の居室からの想定される眺望シーンの動画や、ある朝の交通ラッシュ時における実際の居室からの想定される自動車等の交通状態の眺望シーンの動画を予め撮影、録音または仮想的に作成したものである。一方、この音響の種類には、交通騒音や鳥の鳴き声等と云った実際の音響に加えて、シンセサイザー等の装置を用いた実際の音響と限りなく近い仮想の音響であっても良い。
【００１８】
前記検索装置Ｂは、図４及び５に示すように、前記モデルリビング７の片隅に配置され、予め用意されたこれら多種の映像及び音響の中から個々の各居室に合致した任意の一場面の映像及び音響を即座に選択すると共に、その選択された映像及び音響に対応する自然光を包含した室内外の光環境を同時に選択するものである。
【００１９】
選択された映像は、プロジェクター等の前記映写・表示装置Ｅによって前記受像装置Ｄに映写または表示される。前記映写・表示装置Ｅは、前記受像装置Ｄの設置個数に応じて、図４及び５に示すように、前記プロジェクションルーム８に配置される。また、前記受像装置Ｄは前記バルコニー９の外側近傍付近の前記プロジェクションルーム８内に配置されている。前記受像装置Ｄの種類は前記映写・表示装置Ｅの種類に対応し、例えば本実施形態のように映像を投影または表示するプロジェクター等の場合には、スクリーンが使用される。つまり、このような前記受像装置Ｄと前記映写・表示装置Ｅは、該受像装置Ｄと該映写・表示装置Ｅとによる室内環境への影響を出さないためと、より現実に近い臨場感のある状況を演出する目的と、から前記モデルリビング７の室外側に前記バルコニー９を介して隣接配置された前記プロジェクションルーム８に内設されている。
【００２０】
また、前記検索装置Ｂによって選択された音響は、アンプ、スピーカー、マルチレコーダー、テープレコーダー、ＣＤレコーダー、シンクロナイザー若しくはサウンドコントロールユニット等の前記音響機器Ｆによって調節されて再生演出される。前記音響機器Ｆは、図４及び５に示すように、より実際に近い音響状態が得られるように、前記モデルリビング７と前記プロジェクションルーム８の所定の位置に配置されている。このような音響は、映像に合わせて同調され選択されているので、臨場感に溢れる音響効果が得られる。
【００２１】
一方、前記検索装置Ｂによって選択された光環境は、前述した音響と同様に、映像に合わせて同調されて選択されており、調光機能を持つ、ダウンライト、スタンド、シャンデリア若しくは調光卓等の前記照明機器Ｇによって、臨場感のある光環境状態が演出される。前記照明機器Ｇも、図４及び５に示すように、前記音響機器Ｆと同様に、より実際に近い光環境状態が得られるように、前記モデルリビング７と前記プロジェクションルーム８の所定の位置に配置されている。
【００２２】
このような音響や光環境は、上述したように前記音響機器Ｆと前記照明機器Ｇによって、調節、演出されて出力されるが、購入希望者は前記検索装置Ｂで選択した映像に対応する室内外の種々の音や光の状態を同時に選択し、その入力信号に基づき前記映写・表示装置Ｅに接続されたコンピュータ等により前記音響機器Ｆ及び前記照明機器Ｇが制御される。すなわち、前記音響機器Ｆ及び前記照明機器Ｇは、前記映写・表示装置Ｅに連動して作動するので、音響や光環境が映像に同調して前記モデルリビング７内を深い臨場感で演出することができる。つまり、音響と光環境は、眺望の撮影と並行して録音、及び調光、照明計算により準備され、眺望の撮影と環境音の録音は、画像音響編集処理、編集と云った手順を経て前記モデルリビング７で実施され、調光、照明計算は前記モデルリビング７の設計に取り入れられ、具体化される。
【００２３】
また、このような映像、音響及び光環境の実施においては、予め用意された実際の居室に対応した高度と方位における、室外の眺望の時刻ないしは季節毎の映像、音響及び光環境は、コンピュータ等で各高度、各方位または各時間帯等に編集して作成されたデータとして保存され、このデータを呼び出し、出力することによって、任意の所定のシーンが演出される。
【００２４】
前記高度方位表示装置Ｈは、どの程度の階層（高度）の、どの方角のシーンが実施されているのかと云う情報を、購入希望者に分かり易く示すための表示装置であり、実施しているシーンと同調して、その実施しているシーンのフロア高度と方位を液晶ディスプレイ等によって表示しているが、実施しているシーンの時刻や季節等も表示できる構造であっても良い。また、前記高度方位表示装置Ｈは、図４及び５に示すように、前記窓面Ｃの近傍付近の前記モデルリビング７の天井に設置されているが、購入希望者にとって見え易い位置に種々選択して設置していても良い。
【００２５】
また、このように実施されているシーンと同調して、前記電動カーテンＩが連動動作することによって、臨場感により深みを出す。
【００２６】
以上のような前記モデルリビング７に入室した購入希望者は、予め設定された前記モデルハウス２内で表現すべきストーリーに基づいて、臨場感のある擬似体験を行うことができる。例えば、「ＯＮＥ　ＤＡＹ　ＳＴＯＲＹ」なる、ある季節のある１日を時系列的に描写した各フロアーから見た各方角の風景や情景の動画、音響及び光環境を複合したシーンのストーリーを、購入希望者は擬似体験することができ、想定された各居室に実際に居るかのように錯覚するほどリアルな疑似体験をすることができる。また、前記受像装置Ｄが前記バルコニー９の外側近傍付近の前記プロジェクションルーム８内に配置されていることで、実際の居室からの室外環境の眺望と同様な視角が得られ、より臨場感のある擬似体験を行うことができる。また、購入希望者は、前記高度方位表示装置Ｈにより、実施しているシーンのフロア高度と方位の情報を一目で把握することができる。
【００２７】
尚、本発明は上記実施形態に限定されるものではなく、本発明の技術的思想を逸脱しない範囲における種々の変形例、設計変更などをその技術的範囲内に包含するものであることは云うまでもない。
【００２８】
【発明の効果】
以上説明したように、本発明の請求項１に係るモデルハウス眺望シミュレーションシステムによれば、スライドアップするシミュレーションエレベータがシミュレーションルームの入口の近傍に設置されているので、購入希望者は想定された各居室の室内外環境の擬似体験を行うことができるのみならず、想定された各居室に応じてその居室までの入室経路の移動を臨場感のある擬似体験することができ、より現実に近い臨場感のある住環境を擬似体験することができる。また、受像装置をバルコニーの外側近傍付近に設置しているので、居室からの室外環境の視角が広げられ、実際の居室からの室外環境の眺望と同様な視角が得られ、より臨場感のある擬似体験を行うことができる。
【００２９】
本発明の請求項２に係るモデルハウス眺望シミュレーションシステムによれば、上述した本発明の請求項１に係るモデルハウス眺望シミュレーションシステムの効果に加えて、シミュレーションルーム内に高度方位表示装置が設置されているので、購入希望者は、困惑することなく、実施しているシーンのフロア高度と方位の情報を一目で把握することができる。
【００３０】
本発明の請求項３に係るモデルハウス眺望シミュレーションシステムによれば、上述した本発明の請求項１又は２に係るモデルハウス眺望シミュレーションシステムの効果に加えて、実際の居室からの想定される眺望の映像が動画であるので、購入希望者は、ある日の一日の各居室の室外環境を時系列的に擬似体験することができることによって、より現実に近い臨場感のある想定された各居室の室外環境を擬似体験できる。
【図面の簡単な説明】
【図１】本発明の実施形態に係るモデルハウス眺望シミュレーションシステムの概略平面図。
【図２】シミュレーションエレベータルームの拡大平面図。
【図３】図２のＰ−Ｐ線断面図。
【図４】シミュレーションルームの拡大概略平面図。
【図５】図４のＱ−Ｑ線断面図。
【符号の説明】
１　モデルハウス眺望シミュレーションシステム
２　モデルハウス
４　シミュレーションエレベータルーム
６　シミュレーションルーム
７　モデルリビング
８　プロジェクションルーム
９　バルコニー
Ａ　シミュレーションエレベータ
Ｂ　検索装置
Ｃ　窓面
Ｄ　受像装置
Ｅ　映写・表示装置
Ｈ　高度方位表示装置
【図１】
2004093851.tif 000003
【図２】
2004093851.tif 000004
【図３】
2004093851.tif 000005
【図４】
2004093851.tif 000006
【図５】
2004093851.tif 000007